(57)【要約】      （修正有）【課題】支柱と複数のサポート管とによって型枠を強固に保持することができるとともに、耐圧盤において作業の足場を確保することができ、かつ、各サポート管の長さ寸法を比較的容易に調整することのできる型枠支持システムを提供する。【解決手段】型枠支持システム１０の型枠支保工１６は、内型枠１１に当接する支柱２６と、耐圧盤２５に固定されたブラケット２８と、支柱２６とブラケット２８とに斜めに固定された複数のサポート管２７とを含み、複数のサポート管２７は、支柱２６に外壁体１４の縦方向Ｙにおいて所与寸法離間して固定されており、かつ、その長さ寸法を調整可能な長さ調整手段を有する。【選択図】図１
0003193502.tif 000002
【実用新案登録請求の範囲】
【請求項１】
コンクリート躯体を打設するための内外型枠と、前記内型枠を支持する型枠支保工とを含む型枠支持システムにおいて、
前記型枠支保工は、前記内型枠に当接する支柱と、耐圧盤に固定されたブラケットと、前記支柱と前記ブラケットとに斜めに固定された複数のサポート管とを含み、前記複数のサポート管は、前記支柱に前記型枠支持システムの縦方向において所与寸法離間して固定されており、かつ、その長さ寸法を調整可能な長さ調整手段を有しており、
前記サポート管が、前記支柱に固定された、螺旋状の外周面を有する上方管と、前記ブラケットに固定された下方管と、前記上方管と前記下方管との間においてそれらに連結された中間管とを含み、前記上方管と前記中間管とがハンドル付きの連結管によって連結されており、前記上方管の前記外周面を前記連結管の螺旋状の内周面に締結させながら前記上方管を前記連結管と前記中間管との内部に挿入することによって、前記サポート管の長さ寸法を調整することができる前記型枠支持システム。
【請求項２】
前記下方管には、前記下方管の長手方向において所与寸法離間した複数の挿通孔が形成されており、前記下方管を前記中間管の下端からその内部に挿入して、前記中間管の下端縁を前記挿通孔のいずれかに挿通されたピンに当接させることによって、前記サポート管の長さ寸法を調整することのできる請求項１記載の型枠支持システム。
【請求項３】
前記支柱と前記ブラケットとは溝形鋼材から形成されており、前記サポート管の上端部と下端部とには固定用スリーブが形成されており、前記サポート管は、前記固定用スリーブをそれぞれ前記支柱と前記ブラケットとの溝部に介在させて、それらの両側壁に形成された透孔と前記固定用スリーブとにピンを挿通することによって固定されている請求項１又は２に記載の型枠支持システム。
【考案の詳細な説明】
【技術分野】
【０００１】
本考案は、地下構造物の型枠を支持する型枠支持システム、さらに詳しくは、家屋などの地下室の外壁を打設するために構築された型枠を支持するための型枠支持システムに関する。
【背景技術】
【０００２】
従来、地下壁等を構築する際に使用される、地下構造物の型枠を支持するための型枠支持システムは、一般に知られている。例えば、特許文献１には、耐圧盤に対して垂直に固定された支柱と、支柱と耐圧盤との間において斜めに固定された複数のサポート管とを含む型枠支保工を使用した型枠支持システムが開示されている。
【先行技術文献】
【特許文献】
【０００３】
【特許文献１】特開２００６−１６９８９３号公報
【考案の概要】
【考案が解決しようとする課題】
【０００４】
特許文献１に開示の型枠支持システムによれば、耐圧盤に対して垂直に組み立てられた内型枠を外型枠との離間間隔を一定に保持した状態のまま支持することができるので、従来のセパレータが不要であって、施工性に優れている。
【０００５】
しかし、かかる型枠支持システムでは、一つの支柱に対して１本のサポート管のみがそれを支持しているので、サポート管に支持されていない支柱の下方部分および該下方部分に当接する内型枠の部分は不安定に保持された状態であって、変形やはらみを生じるおそれがある。また、型枠を強固に保持するために、支柱を複数のサポート管で支持した場合には、耐圧盤が複数のサポート管のボルトで固定された固定部で埋め尽くされて作業用の足場を確保することが困難となる。また、支柱を複数のサポート管で支持する場合には、各サポート管の長さ寸法が異なるので、適宜所要の長さに調整する必要がある。
【０００６】
そこで、本考案は、支柱と複数のサポート管とによって型枠を強固に保持することができるとともに、耐圧盤において作業の足場を確保することができ、かつ、各サポート管の長さ寸法を比較的容易に調整することのできる型枠支持システムの提供に関する。
【課題を解決するための手段】
【０００７】
前記課題を解決するための手段として、本考案は、コンクリート躯体を打設するための内外型枠と、前記内型枠を支持する型枠支保工とを含む型枠支持システムの改良に関する。
【０００８】
本考案の特徴とするところは、前記型枠支保工は、前記内型枠に当接する支柱と、耐圧盤に固定されたブラケットと、前記支柱と前記ブラケットとに斜めに固定された複数のサポート管とを含み、前記複数のサポート管は、前記支柱に前記型枠支持システムの縦方向において所与寸法離間して固定されており、かつ、その長さ寸法を調整可能な長さ調整手段を有しており、前記サポート管が、前記支柱に固定された、螺旋状の外周面を有する上方管と、前記ブラケットに固定された下方管と、前記上方管と前記下方管との間においてそれらに連結された中間管とを含み、前記上方管と前記中間管とがハンドル付きの連結管によって連結されており、前記上方管の前記外周面を前記連結管の螺旋状の内周面に締結させながら前記上方管を前記連結管と前記中間管との内部に挿入することによって、前記サポート管の長さ寸法を調整することができることにある。
【０００９】
本考案の他の実施態様の一つとして、前記下方管には、前記下方管の長手方向において所与寸法離間した複数の挿通孔が形成されており、前記下方管を前記中間管の下端からその内部に挿入して、前記中間管の下端縁を前記挿通孔のいずれかに挿通されたピンに当接させることによって、前記サポート管の長さ寸法を調整することができる。
【００１０】
本考案の他の実施態様の一つとして、前記支柱と前記ブラケットとは溝形鋼材から形成されており、前記サポート管の上端部と下端部とには固定用スリーブが形成されており、前記サポート管は、前記固定用スリーブをそれぞれ前記支柱と前記ブラケットとの溝部に介在させて、それらの両側壁に形成された透孔と前記固定用スリーブとにピンを挿通することによって固定されている。
【考案の効果】
【００１１】
本考案に係る型枠支持システムによれば、内型枠に当接する支柱に複数のサポート管を取り付けることによって内型枠を強固に支持しているので、セパレータは不要であり、施工性に優れているとともに、セパレータの腐敗による水漏れを防ぐことができる。また、複数のサポート管がブラケットに纏められて耐圧盤に固定されているので、作業用の足場となるスペースを確保することができる。
【図面の簡単な説明】
【００１２】
【図１】本考案に係る型枠支持システムを使用した地下空間の概略図。
【図２】図１のＩＩ−ＩＩ線断面図。
【図３】型枠支保工の一部分解斜視図。
【図４】図１の一点鎖線ＩＶで囲んだ領域の一部分解拡大図。
【図５】図１の一点鎖線Ｖで囲んだ領域の一部分解拡大図。
【考案を実施するための形態】
【００１３】
図１〜５に示すとおり、本考案に係る型枠支持システム１０は、地盤を掘削して形成された地下空間に設けられており、地山側に位置する外型枠１１と、内型枠１２と、それらの間にコンクリートを打設して形成された、地下壁となるコンクリート躯体１３とから形成された地下構造物１４と、内型枠１２を支持する型枠支保工１６とを含む。
【００１４】
型枠支持システム１０は、縦方向Ｙ及び横方向Ｘを有し、地下構造物１４の一部が地盤面１７から上方に突出しており、内型枠１２の内側面には、横方向Ｘに延びる２本の鋼管（布地パイプ）からなる複数の内側固定部材１８が縦方向Ｙにおいて所与寸法離間して配置されている。内側固定部材１８を形成する一対の鋼管１８ａ，１８ｂどうしは、内型枠１２を貫通するフォームタイ１９をナットで締結することによって互いに連結され、かつ、内型枠１２に固定されている。また、地下構造物１４の地盤面１７から突出する突出部位２０では、外側面において横方向Ｘへ延びる一対の鋼管２１ａ，２１ｂからなる外側固定部材２１が、内側面に位置する内側固定部材１８とコンクリート躯体１３の厚さ方向において対向するように配置されており、外側固定部材２１の銅管２１ａ，２１ｂどうしは、内側固定部材１８と同様に、フォームタイ１９によって互いに連結され、かつ、外型枠１１に固定されている。また、内側固定部材１８と外側固定部材２１との間には、コンクリート躯体１３を貫通する鉄筋のセパレータ２３が配置されている。このように、地上に位置する地下構造物１４の突出部分２０には、コンクリート躯体１３内にセパレータ２３が配置されているので、内外型枠１１，１２の間隔が一定に保持されるとともにそれらの変形、撓みが防止されている。なお、内側固定部材１８と外側固定部材２１とを構成する鋼管１８ａ，１８ｂ，２１ａ，２１ｂには、中空の丸パイプ（単管パイプ）のほかに、断面四角状の中空の角パイプを用いることができる。
【００１５】
型枠支保工１６は、内型枠１２の内面側、すなわち、内側固定部材１８に当接した状態において耐圧盤２５からほぼ垂直に延びる、溝形鋼材（Ｃ型チャネル鋼）から形成された支柱２６と、支柱２６に対して斜め下方へ延びる中空の丸パイプから形成されたサポート管２７と、耐圧盤２５に固定されたブラケット２８とを有する。支柱２６は、型枠支持システム１０の横方向Ｘにおいて所与寸法離間して複数配置されており、各支柱２６には、複数のサポート管２７が縦方向Ｙに所与寸法離間して固定されている。支柱２６は、内側固定部材１８と当接しているがそれらに固定されておらず、その下端に位置する底面（底面がない場合には、溶接によって取り付けられたアングル）を貫通するアンカーボルト３０によって耐圧盤２５に固定されている。
【００１６】
サポート管２７は、支柱２６に固定された、螺旋状の外周面３０を有する上方管３１と、連結管３２を介して上方管３１に連結された中間管３３と、中間管３３とピン３４を介して固定された下方管３５とから構成されている。ブラケット２８は、その底面の透孔に挿通された一対のアンカーボルト３６を介して耐圧盤２５に固定されている。
【００１７】
図３に示すとおり、上方管３１と中間管３３とはハンドル３７付きの連結管３２を介して連結されている。連結管３２は、上方管３１よりも径が大きく、かつ、中間管３３とはほぼ同じ大きさの径を有するリング状の鋼材から形成されており、具体的には、上方管３１の下端部３１ａ側において、その螺旋状の外周面３０と連結管３２の内周面に形成されたねじ部３８とが締結されており、中間管３３の上端縁３９が連結管３２の端縁３２ａと当接している。また、上方管３１の径は、中間管３３の径よりも小さいので、連結管３２のハンドル３７を操作して上方管３１の下端部３１ａを連結管３２および中間管３３の内部に進入させて、サポート管２７全体の長さ寸法を小さくすることができる。このように、サポート管２７は、上方管３１の下端部３１ａの螺旋状の外周面３０とハンドル３７付きの連結管３２とから構成された第１長さ調整手段４０を有するので、サポート管２７全体の長さ寸法を調整することができる。また、上方管３１の上端には、その幅方向へ延びる固定用スリーブ４２が形成されている。
【００１８】
図４に示すとおり、支柱２６の横方向Ｘにおいて対向する両側部には、互いに対向して位置する一対の透孔４４が縦方向Ｙにおいて所与寸法離間して形成されており、支柱２６の溝４６には、一対の透孔４４間に位置するように上方管３１の固定用スリーブ４２が介在されている。支柱２６と上方管３１とは、透孔４４と固定用スリーブ４２に挿通されたピン４８によって連結されている。このように、上方管３１は固定用スリーブ４２に挿通されたピン４８を介して支柱２６に連結されているので、縦方向Ｙへ旋動可能であって、サポート管２７は、支柱２６に対するその傾斜角度を自由に変えることができる。
【００１９】
図３及び５に示すとおり、中間管３３の径は下方管３５のそれよりも大きく、下方管３５の上端部３５ａが中間管３３の内部に挿入された状態で中間管３３と下方管３５とは連結されている。具体的には、下方管３５には、その長手方向において所与寸法離間して位置する複数の挿通孔５０が形成されており、挿通孔５０にピン３４を挿通することによって、中間管３３の下端縁３３ａがピン３４に当接して下方への移動が規制されている。このように、サポート管２７は、下方管３５の挿通孔５０とそれに挿通されるピン３４とから構成された第２長さ調整手段５１を有し、ピン３４を適宜所定の挿通孔５０に挿通させることによって、サポート管２７全体の長さ寸法を自由に調整することができる。また、下方管３５の下端には、その幅方向へ延びる固定用スリーブ５２が形成されている。なお、図示していないが、ピン３４は、ボルトとナットとによって締結されていてもよい。
【００２０】
図５に示すとおり、ブラケット２８は、支柱２６と同様の鋼材、すなわち、溝形鋼材から形成されている。底部から起立する両側部５４には、互いに対向する一対の挿通孔５５がその長手方向において所与寸法離間して形成されており、溝部５６の一対の挿通孔５５間には各下方管３５の固定用スリーブ５２が介在されている。各下方管３５は、ブラケット２８の挿通孔５５とそれらの固定用スリーブ５２とに挿通されたピン５７を介してブラケット２８に連結されている。
【００２１】
ここで、型枠支持システム１６の組立手順について述べると、まず、外型枠１１と内型枠１２とを構築して内型枠１２の内側面に複数の内側固定部材１８を配置した後に、支柱２６を内側固定部材１８に当接させた状態で耐圧盤２５に対してほぼ垂直に保持し、アンカーボルト３０を介して耐圧盤２５に固定する。次に、支柱２６から地下構造物１４の内方へ所与寸法離間した位置にブラケット２８を配置して耐圧盤２５に固定し、ブラケット２８にその長手方向へ一列に並んだ状態で複数の下方管３５を取り付けた後に、取り付けられた下方管３５ごとにそれから支柱２６の透孔４４までの凡その離間寸法を目測して、ピン３４を下方管３５の適当な挿通孔５０に挿通して中間管３３を下方管３５に連結する。次に、連結管３２の端縁３２ａと中間管３３の上端縁３９とを当接させた状態で上方管３１と連結管５２を締結させ、連結管５２のハンドル３７を操作しながら上方管３１の下端部３１ａを中間管３３の内部に挿入して長さ調整をして、サポート管２７全体の長さが支柱２６とブラケット２８との間における離間寸法として適当な長さとなるように調整する。かかる手順によって型枠支保工を組み立てた後、外型枠１１と内型枠１２との間にコンクリート躯体１３を打設して地下構造物１４を構築する。
【００２２】
このように、第２長さ調整手段５１によってサポート管２７の凡その長さを調整した後に、第１長さ調整手段４０によってその長さをさらに微調整することによって、サポート管２７を適宜所要の長さとすることができるので、各サポート管２７に同一の構成部材を使用したとしても、各サポート管２７をそれぞれそれに適した長さに調整して使用することができる。具体的には、第１長さ調整手段４０においては上方管３１の長さ寸法とほぼ同じ長さの分だけサポート管２７の長さを調整することができ、また、第２長さ調整手段５１においては下方管３５の長さ寸法とほぼ同じ長さの分だけサポート管２７の長さを調整することができるので、サポート管２７全体として、上方管３１の長さ寸法と下方管３３の長さ寸法とを加えた分の長さ寸法を自在に調整することができる。
【００２３】
本考案の型枠支持システム１０によれば、地下空間において内型枠１２が型枠支保工１６によって一定の間隔を保持したまま確実に支持されているので、従来のセパレータを要することはなく、部品点数が少なく構造が簡単であり、また、施工後においてセパレータの錆び、腐敗による水漏れを生じるおそれはない。
【００２４】
また、本考案の型枠支持システム１０によれば、複数のサポート管２７を１つのブラケット２８に纏めて耐圧盤２５に固定することができるので、各型枠支保工１６間に所要のスペースを確保することができる。すなわち、従来、複数のサポートパイプからなる型枠支保工は知られているが、各パイプごとに耐圧盤に固定されているので、耐圧盤がパイプの固定部で埋め尽くされて作業するための足場を確保することが困難であったが、本考案によれば、支柱２６に固定された複数のサポート管２７をブラケット２８に一列に並べた状態で纏めて固定することができるので、作業に要する十分な足場を確保することができる。
【００２５】
再び、図２を参照して、型枠支保工１６の各種寸法について述べると、一般的な戸建ての地下空間を構築する場合（高さが、約２．４ｍ）において、支柱２６の高さｌ１は約１．８〜２．４ｍ、最も上方に位置するサポート管２７の長さ寸法ｌ２は約３．０〜３．５ｍ、最も下方に位置するサポート管２７の長さ寸法ｌ３は約１．５〜２．０ｍ、支柱２６からブラケット２８の後端までの離間寸法ｌ４は、約２．２〜３．０ｍとすることができる。また、かかる場合における、サポート管２７を構成する部材の各種寸法、すなわち、上方管３１の長さ寸法は約２０〜５０ｃｍ、中間管３３の長さ寸法は、約１．５〜２．５ｍ、下方管３５の長さ寸法は、約３０〜５０ｃｍとすることができる。なお、本実施形態において、支柱２６には、ほぼ均等に離間して４本のサポート管２７が固定されているが、地下構造物１４の大きさ及び支柱２６の大きさに応じて、４本以上又はそれ以下の適宜必要な数のサポート管２７を支柱２６とブラケット２８との間に固定させて内型枠１２を支持してもよい。
【符号の説明】
【００２６】
１０  型枠支持システム
１１  外型枠
１２  内型枠
１３  コンクリート躯体
１４  地下構造物
１６  型枠支保工
１８  内側固定部材
２５  耐圧盤
２６  支柱
２７  サポート管
２８  ブラケット
３０  上方管の外周面
３１  上方管
３２  連結具
３３  中間管
３４，４８  ピン
３５  下方管
３７  ハンドル
４０  第１長さ調整手段
４２，５２  固定用スリーブ
５１  第２長さ調整手段
Ｘ    横方向
Ｙ    縦方向
【図１】
0003193502.tif 000003
【図２】
0003193502.tif 000004
【図３】
0003193502.tif 000005
【図４】
0003193502.tif 000006
【図５】
0003193502.tif 000007